(57)【要約】【課題】記録紙の範囲に応じてレーザの出力イネーブル信号を有効にする事で不要な領域にレーザが照射される事を防ぐ。【解決手段】レーザ走査手段。画像データ出力手段。搬送路上で記録媒体の幅方向の通過エリアを検知する通過エリア検知手段。レーザ照射位置から転写位置までの感光体の移動時間ｔ１と、通過エリア検知手段から転写位置までの記録媒体搬送時間ｔ２の差が所定時間となるように記録媒体を搬送する記録媒体搬送手段。前記通過エリア検知手段により検知した通過エリアから記録媒体が存在するエリアに対応した感光体上のエリアがレーザの出力範囲となるように、レーザ照射範囲を決定するレーザイネーブル信号作成手段。イネーブル信号でマスクしてイネーブル期間のみレーザを照射する事を特徴とする。【選択図】        図１
2005007621.tif 000002
【特許請求の範囲】
【請求項１】
レーザ光を感光体上に照射し、照射位置の移動を行いつつ照射するレーザ走査手段と
走査ごとに基準タイミングから所定時間経過後又は所定距離移動後画像データを出力する画像データ出力手段と
搬送路上で記録媒体の幅方向の通過エリアを検知する通過エリア検知手段と
レーザ照射位置から転写位置までの感光体の移動時間ｔ１と、通過エリア検知手段から転写位置までの記録媒体搬送時間ｔ２の差が所定時間となるように記録媒体を搬送する記録媒体搬送手段と
前記通過エリア検知手段により検知した通過エリアから記録媒体が存在するエリアに対応した感光体上のエリアがレーザの出力範囲となるように、レーザ照射範囲を決定するレーザイネーブル信号作成手段を備えた画像形成装置において、
画像メモリ上での合成を行わずに、画像データ出力を前記レーザイネーブル信号作成手段により作成されたイネーブル信号でマスクしてイネーブル期間のみレーザを照射する事を特徴とする画像形成装置。
【請求項２】
レーザ光を感光体上に照射し、照射位置の移動を行いつつ照射するレーザ走査手段と
走査ごとに基準タイミングから所定時間経過後又は所定距離移動後画像データを出力する画像データ出力手段と
搬送路上で記録媒体の幅方向の通過エリアを検知する通過エリア検知手段と
レーザ照射位置から転写位置までの感光体の距離Ｌ１と、通過エリア検知手段から転写位置までの記録媒体搬送距離Ｌ２の差が所定距離となるように記録媒体を搬送する記録媒体搬送手段と
前記通過エリア検知手段により検知した通過エリアから記録媒体が存在するエリアに対応した感光体上のエリアがレーザの出力範囲となるように、レーザ照射範囲を決定するレーザイネーブル信号作成手段を備えた画像形成装置において、
画像メモリ上での合成を行わずに、画像データ出力を前記レーザイネーブル信号作成手段により作成されたイネーブル信号でマスクしてイネーブル期間のみレーザを照射する事を特徴とする画像形成装置。
【請求項３】
前記通過エリア検知手段にイメージセンサを用いた事を特徴とする前記１又は２記載の画像形成装置。
【請求項４】
画像データが出力される以前の所定のタイミングで前記通過エリア検知手段により通過エリアを検知し、検知した通過エリアから記録媒体の搬送路上での位置を求めて、求めた端部位置と、搬送途中で記録媒体のずれが生じなかった場合の端部位置との差である記録媒体のずれ量を算出する記録媒体ずれ量算出手段と
前記記録媒体ずれ量算出手段により算出したずれ量に基づいて、前記画像データ出力手段による画像出力タイミングを一画像につき一律に補正する事を特徴とする請求項１又は２又は３記載の画像形成装置。
【発明の詳細な説明】
【０００１】
【発明の属する技術分野】
本発明は、記録媒体を搬送して記録媒体に画像形成を行う画像形成装置に関するものである。
【０００２】
【従来の技術】
従来の技術では、
▲１▼イメージセンサ等で記録紙を検知してマスクする技術はあったが、リアルタイムで処理を行わずに、元の画像データと記録紙エリア情報を画像メモリ上で合成し、合成した画像を出力するといった事が行われていた。
【０００３】
▲２▼または、記録紙に合わせてマスク位置と画像位置を同時に移動するといった事が行われていた。（特許文献１参照）。
【０００４】
【特許文献１】
特開平０３―１９１３７７号公報
【０００５】
【発明が解決しようとする課題】
しかしながら上記従来の方式では、
▲１▼元の画像データと記録紙エリア情報を画像メモリ上で合成するので、画像を合成・編集する手段を備える必要があり、コストアップ要因となり、また処理時間も遅くなっていた。
【０００６】
▲２▼マスク位置と画像位置を同時に移動するので、マスク位置を独立に制御できないため記録媒体が斜行した場合に画像が菱形に歪んでしまい画質が低下していた。
【０００７】
そこで本発明の目的は、
▲１▼画像メモリ上で合成せずに記録紙エリアに応じた領域のみレーザ出力が行え、
また、
▲２▼画像位置とマスク位置を独立に制御できる画像形成装置を提供する事である。
【０００８】
【課題を解決するための手段】
上記目的を達成するため、請求項１記載の発明は、レーザ光を感光体上に照射し、照射位置の移動を行いつつ照射するレーザ走査手段と走査ごとに基準タイミングから所定時間経過後又は所定距離移動後画像データを出力する画像データ出力手段と搬送路上で記録媒体の幅方向の通過エリアを検知する通過エリア検知手段とレーザ照射位置から転写位置までの感光体の移動時間ｔ１と、通過エリア検知手段から転写位置までの記録媒体搬送時間ｔ２の差が所定時間となるように記録媒体を搬送する記録媒体搬送手段と前記通過エリア検知手段により検知した通過エリアから記録媒体が存在するエリアに対応した感光体上のエリアがレーザの出力範囲となるように、レーザ照射範囲を決定するレーザイネーブル信号作成手段を備えた画像形成装置において、画像メモリ上での合成を行わずに、画像データ出力を前記レーザイネーブル信号作成手段により作成されたイネーブル信号でマスクしてイネーブル期間のみレーザを照射する事を特徴とする。
【０００９】
また請求項２記載の発明は、レーザ光を感光体上に照射し、照射位置の移動を行いつつ照射するレーザ走査手段と走査ごとに基準タイミングから所定時間経過後又は所定距離移動後画像データを出力する画像データ出力手段と搬送路上で記録媒体の幅方向の通過エリアを検知する通過エリア検知手段とレーザ照射位置から転写位置までの感光体の距離Ｌ１と、通過エリア検知手段から転写位置までの記録媒体搬送距離Ｌ２の差が所定距離となるように記録媒体を搬送する記録媒体搬送手段と前記通過エリア検知手段により検知した通過エリアから記録媒体が存在するエリアに対応した感光体上のエリアがレーザの出力範囲となるように、レーザ照射範囲を決定するレーザイネーブル信号作成手段を備えた画像形成装置において、画像メモリ上での合成を行わずに、画像データ出力を前記レーザイネーブル信号作成手段により作成されたイネーブル信号でマスクしてイネーブル期間のみレーザを照射する事を特徴とする。
【００１０】
また請求項３記載の発明は、前記１又は２記載の画像形成装置において前記通過エリア検知手段にイメージセンサを用いた事を特徴とする。
【００１１】
また請求項４記載の発明は、請求項１又は２又は３記載の画像形成装置において、画像データが出力される以前の所定のタイミングで前記通過エリア検知手段により通過エリアを検知、検知した通過エリアから記録媒体の搬送路上での位置を求めて、求めた端部位置と、搬送途中で記録媒体のずれが生じなかった場合の端部位置との差である記録媒体のずれ量を算出する記録媒体ずれ量算出手段と前記記録媒体ずれ量算出手段により算出したずれ量に基づいて、前記画像データ出力手段による画像出力タイミングを一画像につき一律に補正する事を特徴とする。
【００１２】
【発明の実施の形態】
（実施例）
本発明の画像形成装置および画像形成制御方法の実施の形態について図面を参照しながら説明する。
【００１３】
［全体構成］
図１は実施の形態における画像形成装置の構成を示す図である。この画像形成装置は、画像形成装置本体１０、折り装置４０およびフィニッシャ５０から構成される。また、画像形成装置本体１０は、原稿画像を読み取るイメージリーダ１１およびプリンタ１３から構成される。
【００１４】
イメージリーダ１１には、原稿給送装置１２が搭載されている。原稿給送装置１２は、原稿トレイ１２ａ上に上向きにセットされた原稿を、先頭頁から順に１枚づつ図中左方向に給紙し、湾曲したパスを介してプラテンガラス上に搬送して所定位置に停止させ、この状態でスキャナユニット２１を左側から右側へ走査させることにより原稿を読み取る。読み取り後、外部の排紙トレイ１２ｂに向けて原稿を排出する。
【００１５】
原稿の読み取り面がスキャナユニット２１のランプからの光で照射され、その原稿からの反射光がミラー２２、２３、２４を介してレンズ２５に導かれる。このレンズ２５を通過した光は、イメージセンサ２６の撮像面に結像する。
【００１６】
そして、原稿の画像を主走査方向に１ライン毎にイメージセンサ２６で読み取りながら、スキャナユニット２１を副走査方向に搬送することによって原稿の画像全体の読み取りを行う。光学的に読み取られた画像は、イメージセンサ２６によって画像データに変換されて出力される。イメージセンサ２６から出力された画像データは、図示しない画像信号制御部（画像処理回路）において所定の処理が施された後、プリンタ１３の図示しない露光制御部（レーザ制御回路）にビデオ信号として入力する。
【００１７】
プリンタ１３の露光制御部は、入力された画像データに基づき、レーザ素子（図示せず）から出力されるレーザ光を変調し、変調されたレーザ光は、ポリゴンミラー２７によって走査されながら、レンズ２８、２９およびミラー３０を介して感光ドラム３１上に照射される。
【００１８】
感光ドラム３１には、走査されたレーザ光に応じた静電潜像が形成される。この感光ドラム３１上の静電潜像は、現像器３３から供給される現像剤によって現像剤像として可視像化される。また、レーザ光の照射開始と同期したタイミングで、各カセット３４、３５、３６、３７、手差給紙部３８または両面搬送パスから用紙が給紙され、レジストローラ４３を介して画像形成部に搬送される。
【００１９】
この用紙は感光ドラム３１と転写ローラ３９との間に搬送され、感光ドラム３１に形成された現像剤像は、転写ローラ３９で給紙された用紙上に転写される。現像剤像が転写された用紙は、定着部３２に搬送され、定着部３２は用紙を熱圧することによって現像剤像を用紙上に定着させる。定着部３２を通過した用紙は、フラッパおよび排出ローラを経てプリンタ１３から外部（折り装置４０）に向けて排出される。
【００２０】
ここで、用紙をその画像形成面が下向きになる状態（フェイスダウン状態）で排出するときには、定着部３２を通過した用紙をフラッパの切換動作により一旦、反転パス４２内に導き、その用紙の後端がフラッパを通過した後、用紙をスイッチバックさせて排出ローラによりプリンタ１３から排出する。
【００２１】
また、手差給紙部３８からＯＨＰ用紙等の硬い用紙が給紙され、この用紙に画像を形成する場合、用紙を反転パスに導くことなく、画像形成面を上向きにした状態（フェイスアップ状態）で排出ローラにより排出する。
【００２２】
さらに、用紙の両面に画像形成を行う両面記録が設定されている場合、フラッパの切換動作により、未記録用紙を用紙を反転パス４２に導いた後、両面搬送パスに搬送する。両面搬送パスに導かれた用紙は、両面搬送ローラ４０を経由して両面搬送ローラ４１にニップした位置まで搬送され、次の給紙タイミングまで一時停止する。両面搬送パスに、両面搬送ローラ４１にニップした位置に停止する用紙が既に有る場合は、両面搬送ローラ４１の上流に位置する両面搬送ローラ４０にニップした位置に用紙を停止することになる。
【００２３】
ここで、両面搬送パスに、両面搬送ローラ４１にニップした位置に停止する用紙が無くてもカセット３５を使用している場合は、用紙は搬送ローラ４０にニップした位置まで搬送され、用紙を停止する。
【００２４】
そして、カセットから給紙されて、画像形成部に搬送された後に、両面搬送ローラ４１にニップされている片面プリント済の用紙を再給紙する。その後、片面給紙プリント済みの用紙が画像形成部に搬送されると、カセットから用紙を給送する。この上記動作を繰り返す交互給紙により両面記録を行う。この時、両面搬送パスには、最大２枚の用紙が滞留していることになる。
【００２５】
プリンタ１３から排出された用紙は折り装置４０に送られる。この折り装置４０は、用紙をＺ形に折りたたむ処理を行う。例えば、Ａ３サイズやＢ４サイズの用紙で、かつ折り処理が指定されている場合、折り装置４０で折り処理を行い、それ以外の場合、プリンタ１３から排出された用紙は折り装置４０を通過してフィニッシャ５０に送られる。このフィニッシャ５０には、画像が形成された用紙に挿入するための表紙、合紙などの特殊用紙を給送するインサータ９０が設けられている。フィニッシャ５０では、製本処理、綴じ処理、穴あけ等の各処理が行われる。
【００２６】
また、第１の排出トレイ５１は、主にステープルや製本処理が設定されていない用紙や後述するエラーシートが排出されるトレイである。第２の排出トレイ５２は、ステープル処理トレイ５３でステープル処理されたシートが排出されるトレイである。尚、本実施形態では、画像形成装置の像担持体として感光ドラムを用いたが、感光ベルトであっても構わない。
【００２７】
また、画像形成装置には、操作パネル６０が設けられている。図７は画像形成装置に設けられた操作パネル６０の構成を示す図である。図において、４００は複写開始を指示するコピースタートキーである。４０１は標準モードに戻すためのリセットキーである。４０２はガイダンス機能を使用するときに押下するガイダンスキーである。４０３は設定枚数等の数値を入力するテンキーである。４０４は数値をクリアするクリアキーである。４０５は連続コピー中にコピーを停止させるストップキーである。４０６はステープルモード、製本モードあるいは両面プリント設定等の各種モードの設定やプリンタの状態を表示する液晶表示部およびタッチパネルである。４０７は連続コピー中あるいはファックスやプリンタとして使用中に割り込んで緊急コピーをとるための割り込みキーである。４０８は個人別や部門別にコピー枚数を管理するための暗証キーである。４０９は画像形成装置本体の電源をＯＮ／ＯＦＦするためのソフトスイッチである。４１０は画像形成装置の機能を変更するときに使用する機能キーである。４１１は、オートカセットチェンジのＯＮ／ＯＦＦや省エネモードに入るまでの設定時間の変更など、予めユーザが項目を設定するユーザモードに入るためのユーザモードキーである。
【００２８】
［紙送りタイミングと画像書き出しタイミング］
図２は感光ドラムに至る紙搬送パスに配置された印字位置調整機構を示す図である。図において、２０５は紙搬送パスである。２０６は両面記録用の循環パスである。３１は前述した感光ドラムである。２０２は感光ドラム３１に潜像を形成するレーザ素子である。尚、このレーザ素子２０２の配置は便宜的に描かれており、実際の配置とは異なる。２０３は紙搬送ローラ（レジストローラ）であり、紙搬送パス２０５に沿って送られてくる用紙を一旦突き当てた状態で滞留させた後、所定の紙送りタイミングに合わせて感光ドラム３１側に送り出す。
【００２９】
２０４は用紙位置を検出するために画像を読み取る画像読取センサ（イメージセンサ）であり、ＣＣＤやＣＩＳ等の光電変換素子アレイから構成される。本実施形態ではＣＩＳ（コンタクトイメージセンサ）が用いられる。このＣＩＳ２０４は感光ドラム３１から距離Ｌ１だけ離れたレジストローラ２０３側に配置されている。また、ＣＩＳ２０４は後述する画像形成ポイント（ａ点）から距離Ｌ２だけ離れたレジストローラ２０３側に配置されている。さらに、ＣＩＳ２０４は後述するＢＤ検出器１０８から紙送り方向に対して垂直方向に距離Ｌ３だけ離れて配置されている。
【００３０】
１０８はレーザ素子（単にレーザという）２０２の照射時期を検出するビームディテクト（ＢＤ）検出器である。レーザ光は、ポリゴンミラーによってＢＤ検出器１０８に照射された後、振られて感光ドラム３１上に照射されると、感光ドラム３１上には、潜像が形成される。
【００３１】
図中、ａ点は画像形成ポイントを示す。例えば、用紙がａ点を５ｍｍ過ぎたタイミングでレーザ２０２による画像形成を行った場合、感光ドラム３１の回転と用紙１０７の搬送が同期して行われ、結果として、出力画像は用紙先端から５ｍｍの位置に形成される。
【００３２】
また、図中、ｂ点は転写ポイントを示し、ｃ点はレーザ書き出しポイントを示す。レーザ書き出しポイントｃ点で、レーザ１０２によって感光ドラム３１上に潜像が形成されると、現像ユニットを経由し、転写ポイントｂ点でトナーが用紙上に転写され、画像形成が行われる。
【００３３】
この画像形成の際、レジストローラ２０３から送り出された用紙１０７は、紙搬送パス２０５に沿って感光ドラム３１側に搬送され、ＣＩＳ２０４によって先端検知されてから距離Ｌ２だけ進んだときに、感光ドラム３１にレーザ光を照射するように制御が行われる。具体的に、距離Ｌ２進む時間をタイマでカウントし、その時間が経過すると、レーザ光を感光ドラム３１に照射する。
【００３４】
更に余白のない画像をプリントするためには、紙位置に対応した感光体上のエリアにのみレーザを照射する必要がある。これはＣＩＳ２０４で検知したエリア情報をＴＣＵ１０５に伝達し、ＴＣＵ１０５にてマスク信号を作成しレーザ制御回路２７において画像信号にマスクをして用紙に対応するエリアのみレーザを照射する。
【００３５】
すなわち、ＣＩＳ２０４で用紙のエリアを検知してからマスク信号を作成してレーザ制御回路２７に伝達する処理に要する遅延時間を考慮したＣＩＳ２０４の配置としなければならない。したがって、距離Ｌ２は、ＣＩＳ２０４が、用紙エリアを検知してＣＩＳ２０４で用紙のエリアを検知してからマスク信号を作成してレーザ制御回路２７に伝達する処理に要する遅延時間に相当する距離とする事が必要になる。
【００３６】
また、通常の画像形成装置では、用紙の搬送スピードと感光ドラム３１の回転速度は等しく設定されている。これは、ＣＩＳ２０４から距離Ｌ２だけ進んだ位置（画像形成ポイントａ点）から、転写ローラ３９と感光ドラム３１のニップ位置である用紙への転写位置（転写ポイントｂ点）までの距離Ｌ１−Ｌ２と、レーザの書き出し位置（書き出しポイントｃ点）から用紙への転写位置（転写ポイントｂ点）までの感光ドラム３１上の円周（周回）距離とが等しいことを意味する。
【００３７】
また、ＣＩＳ２０４で用紙の横端位置（横レジ）を検知し、ビームディテクタ（ＢＤ）１０８からＣＩＳ２０４の下端までの距離Ｌ３に、ＣＩＳ２０４の下端から用紙の横端位置までの距離ｘを加えた距離（ｘ＋Ｌ３）を算出し、ビームディテクタ１０８によってレーザ光を検知してから上記算出された距離だけレーザ光を主走査方向に振った後、レーザによる書き出しを開始すれば、主走査方向の画像の書き出し位置を調整することもできる。
【００３８】
［ＣＩＳの構成］
図３はＣＩＳ２０４の構成を示す図である。このＣＩＳ２０４は、画像読取部２０５およびＬＥＤ発光部２０６から構成される。画像読取部２０５は、受光素子部およびシフトレジスタが１チップ内に収納された複数のチップ（１〜ｎ）２１１〜２１７、セレクタ２１５および出力部２１６から構成される。本実施形態では、チップ数は７個である（ｎ＝７）。各チップ内の受光素子部には、それぞれ１０００個の読み取り画素が設けられている。
【００３９】
画像読取部２０５では、ＴＣＵ１０５からのセレクタ信号によってセレクタ２１５が特定のチップ、例えばチップ２１１だけを有効に選択すると、受光素子部２１１ａで検知された画像信号は、ＴＣＵ１０５からのロード信号（ＣＩＳ−ＳＨ）によって一旦、シフトレジスタ２１１ｂに読み出された後、ＴＣＵ１０５からのクロック（ＣＬＫ）に従って順次、シフトレジスタ２１１ｂからセレクタ２１５を介して出力部２１６に転送される。出力部２１６は転送されたシリアルの画像信号をパラレルデータに変換し、ＣＩＳデータとして出力する。
【００４０】
また、ＴＣＵ１０５からのセレクタ信号によってセレクタ２１５がチップ２１２〜２１７を有効に選択すると、各受光素子部２１２ａ〜２１７ａで検知された画像信号は、ＴＣＵ１０５からのロード信号によって一旦、シフトレジスタ２１２ｂ〜２１７ｂに読み出された後、ＴＣＵ１０５からのクロック（ＣＬＫ）に従って順次、シフトレジスタ２１２ｂ〜２１７ｂからセレクタ２１５を介して出力部２１６に転送される。出力部２１６は、転送されたシリアルの画像信号をパラレルデータに変換し、ＣＩＳデータとして出力する。
【００４１】
一方、ＬＥＤ発光部２０６は、直列に接続されたＬＥＤ群が複数並列に接続されたＬＥＤ部２２１、および各ＬＥＤ群のカソード側に接続され、各ＬＥＤ群に流れる電流を調節するＬＥＤ電流調節回路２２２から構成される。ＬＥＤ電流調節回路２２２は、ＴＣＵ１０５からの光量制御データにしたがって、ＬＥＤ部２２１の全体のＬＥＤ発光量を調節する。
【００４２】
図４は用紙の通過領域に対するＣＩＳ２０４の配置を示す図である。ＣＩＳ２０４は、用紙１０７の搬送方向に対して垂直方向に読み取り画素が並ぶように配置される。しかも、ＣＩＳ２０４の一端が通過する用紙１０７の略中央の位置となり、他端が通過する用紙１０７の横端を越えた位置となるように、ＣＩＳ２０４は配置される。ＣＩＳ２０４の用紙１０７の略中央側には、チップ２１１が位置し、横端を越えた側には、チップ２１７が位置する。
【００４３】
図５はＣＩＳ２０４における検知領域を示す図である。検知領域はＣＩＳ２０４の受光素子部２１１ａ〜２１７ａに含まれる７０００画素分に相当する。  ＣＩＳ−ＳＨ信号により用紙１０７の通過エリアを検出し、それをイネーブル信号に変換している。
【００４４】
［制御回路の構成］
図６は制御回路の構成を示すブロック図である。制御回路５１は画像処理回路５２、レーザ制御回路（Ｖ−ＣＮＴ）２７およびタイミングコントロールユニット（ＴＣＵ）１０５を有する。画像処理回路５２には、イメージセンサ２６によって読み取られた画像データが記憶される画像メモリ（Ｐ−ＭＥＭ）５６、およびこの画像メモリ５６に記憶された画像データを処理するＣＰＵ５７が設けられている。
【００４５】
レーザ制御回路２７は、画像処理回路５２から画像データに応じて出力される信号を基に、レーザ素子２０２に駆動信号を出力する。レーザ素子２０２への駆動信号の出力は、ＴＣＵ１０５からのタイミング信号に同期して行われる。ＴＣＵ１０５は、ＣＩＳ２０４にＣＩＳ制御信号を出力するとともに、ＣＩＳ２０４で読み取られたＣＩＳデータを入力し、このＣＩＳデータを基にレーザ制御回路２７に対してイネーブル信号を出力する。
【００４６】
次に実際に用紙搬送時にずれが生じた場合の画像データのマスクの様子を図８を用いて説明する。
【００４７】
画像データの書き出しタイミングは、搬送時に用紙にずれがなかった場合の位置に基づいて作成され、レーザ制御回路２７に伝達される。一方イネーブル信号はＣＩＳ２０４で検知した用紙に基づいて作成され、レーザ制御回路２７に伝達される。そしてレーザ制御回路２７では画像データをイネーブル信号によってマスクし、用紙の範囲外にあたるデータをマスクし、実際にレーザに出力する範囲を決定している。
【００４８】
以上が本発明の実施の形態の説明であるが、本発明は、これら実施の形態の構成に限られるものではなく、特許請求の範囲で示した機能、または実施の形態の構成が持つ機能が達成できる構成であればどのようなものであっても適用可能である。
【００４９】
【発明の効果】
以上のように本発明では、請求項１記載の発明ではレーザ光を感光体上に照射し、照射位置の移動を行いつつ照射するレーザ走査手段と走査ごとに基準タイミングから所定時間経過後又は所定距離移動後画像データを出力する画像データ出力手段と搬送路上で記録媒体の幅方向の通過エリアを検知する通過エリア検知手段とレーザ照射位置から転写位置までの感光体の移動時間ｔ１と、通過エリア検知手段から転写位置までの記録媒体搬送時間ｔ２の差が所定時間となるように記録媒体を搬送する記録媒体搬送手段と前記通過エリア検知手段により検知した通過エリアから記録媒体が存在するエリアに対応した感光体上のエリアがレーザの出力範囲となるように、レーザ照射範囲を決定するレーザイネーブル信号作成手段を備えた画像形成装置において、画像メモリ上での合成を行わずに、画像データ出力を前記レーザイネーブル信号作成手段により作成されたイネーブル信号でマスクしてイネーブル期間のみレーザを照射する事を特徴とし、また請求項２記載の発明は、レーザ光を感光体上に照射し、照射位置の移動を行いつつ照射するレーザ走査手段と走査ごとに基準タイミングから所定時間経過後又は所定距離移動後画像データを出力する画像データ出力手段と搬送路上で記録媒体の幅方向の通過エリアを検知する通過エリア検知手段とレーザ照射位置から転写位置までの感光体の距離Ｌ１と、通過エリア検知手段から転写位置までの記録媒体搬送距離Ｌ２の差が所定距離となるように記録媒体を搬送する記録媒体搬送手段と前記通過エリア検知手段により検知した通過エリアから記録媒体が存在するエリアに対応した感光体上のエリアがレーザの出力範囲となるように、レーザ照射範囲を決定するレーザイネーブル信号作成手段を備えた画像形成装置において、画像メモリ上での合成を行わずに、画像データ出力を前記レーザイネーブル信号作成手段により作成されたイネーブル信号でマスクしてイネーブル期間のみレーザを照射する事を特徴とし、また請求項３記載の発明は、前記１又は２記載の画像形成装置において前記通過エリア検知手段にイメージセンサを用いた事を特徴とし、請求項４記載の発明は、請求項１又は２又は３記載の画像形成装置において、画像データが出力される以前の所定のタイミングで前記通過エリア検知手段により通過エリアを検知、検知した通過エリアから記録媒体の搬送路上での位置を求めて、求めた端部位置と、搬送途中で記録媒体のずれが生じなかった場合の端部位置との差である記録媒体のずれ量を算出する記録媒体ずれ量算出手段と前記記録媒体ずれ量算出手段により算出したずれ量に基づいて、前記画像データ出力手段による画像出力タイミングを一画像につき一律に補正する事を特徴とするので、画像メモリ上で合成を行うことなく記録紙エリアに応じた領域のみレーザ出力が行えるため、画像を合成・編集する手段を備える必要がなく、また画像処理時間のかからない低コストな画像系装置を提供することができる。
【００５０】
また、画像出力タイミングとマスク位置を独立に制御できるので、記録媒体が斜行した場合には、マスク位置のみ記録紙端部に合わせて変化させるため、不要な潜像の作成を防ぎつつ、かつ各ラインの画像出力タイミングは１画像でみると固定なので画像が菱形に歪んでしまうような事もない。これは３穴紙等の用紙に穴があるような記録媒体であっても穴の部分に相当する領域に不要な書きこみをしないという効果もある。
【図面の簡単な説明】
【図１】実施の形態における画像形成装置の構成を示す図である。
【図２】感光ドラムに至る紙搬送パスに配置された印字位置調整機構を示す図である。
【図３】ＣＩＳ２０４の構成を示す図である。
【図４】用紙の通過領域に対するＣＩＳ２０４の配置を示す図である。
【図５】ＣＩＳ２０４における先端検知領域および横端検知領域を示す図である。
【図６】制御回路の構成を示すブロック図である。
【図７】画像形成装置に設けられた操作パネル６０の構成を示す図である。
【図８】用紙搬送時にずれが生じた場合の画像データのマスクの様子を示した図である。
【符号の説明】
２７  レーザ制御回路
６２  レジＯＮ部
６４  横端検知部
６５  ＣＩＳコントローラ
８２  タイミング発生回路
１０５  タイミングコントロールユニット（ＴＣＵ）
１０７  用紙
２０２  レーザ
２０３  レジストローラ（レジストクラッチ）
２０４  ＣＩＳ（コンタクトイメージセンサ）
２１１ａ〜２１７ａ  受光素子部
４１１  ユーザモードキー
【図１】
2005007621.tif 000003
【図２】
2005007621.tif 000004
【図３】
2005007621.tif 000005
【図４】
2005007621.tif 000006
【図５】
2005007621.tif 000007
【図６】
2005007621.tif 000008
【図７】
2005007621.tif 000009
【図８】
2005007621.tif 000010